(57)【要約】【課題】  当該コンテンツデータに適切な通信メディア部による受信ができ、一方の通信メディア部おいてその受信が中断されたコンテンツデータを、他方の通信メディア部において自動的に受信することができる移動端末の電源制御方法及びシステムを提供する。【解決手段】  セルラ通信メディア部によってＨＴＴＰ ＲｅｓｐｏｎｓｅをＷｅｂサーバから受信し、セルラ通信メディア部の通信状態がそのコンテンツサイズを受信するに適するか否かを判定する。適さないと判定した場合、コネクションを切断し且つ受信中断フラグを設定する。その後、移動端末が電源ＯＦＦにされた際に、受信中断フラグが設定されているならば、無線ＬＡＮ通信メディア部だけは電源ＯＮとする。その後、無線ＬＡＮ通信メディア部がビーコン信号を受信した際に、移動端末は電源ＯＮにする。そして、無線ＬＡＮ通信メディア部によってＨＴＴＰ ＲｅｑｕｅｓｔをＷｅｂサーバへ送信する。【選択図】  図１
2006210993.tif 000002
【特許請求の範囲】
【請求項１】
第１及び第２の通信メディア部を有する移動端末の電源制御方法であって、
前記第１の通信メディア部によってコンテンツ要求メッセージをコンテンツ配信サーバへ送信する第１のステップと、
前記第１の通信メディア部によって前記コンテンツ配信サーバからコンテンツ応答メッセージを受信し、該メッセージに含まれるコンテンツサイズに対して前記第１の通信メディア部の通信状態は適するか否かを判定する第２のステップと、
前記第１の通信メディア部の通信状態は適さないと判定した場合、前記コンテンツ配信サーバに対するコネクションを切断し、且つ、受信中断フラグを設定する第３のステップと、
前記移動端末が電源ＯＦＦにされると同時に、前記受信中断フラグが設定されている場合は、前記第２の通信メディア部が電源ＯＮにされる第４のステップと、
前記移動端末が電源ＯＦＦである場合に、前記第２の通信メディア部が、基地局から同期確立同報信号を受信した際に、前記移動端末が電源ＯＮにされる第５のステップと、
前記第２の通信メディア部によって前記コンテンツ要求メッセージを、前記コンテンツ配信サーバへ送信する第６のステップと
を有することを特徴とする移動端末の電源制御方法。
【請求項２】
第１及び第２の通信メディア部を有する移動端末と、プロキシサーバとを有するシステムにおける前記移動端末の電源制御方法であって、
前記移動端末が、前記第１の通信メディア部によってその通信状態の情報を含むコンテンツ要求メッセージを前記プロキシサーバへ送信し、該プロキシサーバが、前記コンテンツ要求メッセージをコンテンツ配信サーバへ送信する第１のステップと、
前記プロキシサーバが、前記コンテンツ配信サーバから受信したコンテンツ応答メッセージに含まれるコンテンツサイズに対して前記通信状態は適するか否かを判定する第２のステップと、
前記プロキシサーバが、前記移動端末の前記第１の通信メディア部の通信状態は適さないと判定した場合、受信中断フラグを設定した前記コンテンツ応答メッセージを前記移動端末へ送信する第３のステップと、
前記移動端末が、前記コンテンツ応答メッセージを受信した際に、前記受信中断フラグを保持する第４のステップと、
前記移動端末が電源ＯＦＦにされた際に、前記受信中断フラグが設定されているならば、前記第２の通信メディア部が電源ＯＮされる第５のステップと、
前記移動端末が電源ＯＦＦである場合、前記第２の通信メディア部が、基地局から同期確立同報信号を受信した際に、前記移動端末が電源ＯＮにされる第６のステップと、
前記第２の通信メディア部によって前記コンテンツ要求メッセージを、前記プロキシサーバへ送信する第７のステップと
を有することを特徴とする移動端末の電源制御方法。
【請求項３】
前記通信状態は、伝送速度であって、
前記第２のステップについて、前記コンテンツサイズを前記伝送速度で除算して算出された伝送時間が、所定閾値時間以上である場合に、前記通信メディア部は適さないと判定されることを特徴とする請求項１又は２に記載の移動端末の電源制御方法。
【請求項４】
前記第１の通信メディア部は、セルラ通信メディア部であり、
前記第２の通信メディア部は、無線ＬＡＮ通信メディア部であり、
前記同期確立同報信号は、ビーコン信号である
ことを特徴とする請求項１から３のいずれか１項に記載の移動端末の電源制御方法。
【請求項５】
前記第１の通信メディア部は、第１の無線ＬＡＮ通信メディア部であり、
前記第２の通信メディア部は、前記第１の無線ＬＡＮ通信メディア部よりも伝送速度が高速な無線ＬＡＮ通信メディア部であり、
前記同期確立同報信号は、ビーコン信号である
ことを特徴とする請求項１から３のいずれか１項に記載の移動端末の電源制御方法。
【請求項６】
前記無線ＬＡＮ通信メディア部は、受信可能なＥＳＳＩＤの登録リストを予め保持しており、前記ビーコン信号に含まれるＥＳＳＩＤが前記登録リストのいずれか１つのＥＳＳＩＤと一致する際に、該ビーコン信号が受信されたと判定することを特徴とする請求項１から５のいずれか１項に記載の移動端末の電源制御方法。
【請求項７】
コンテンツ配信サーバと通信可能な第１の通信メディア手段と、
前記コンテンツ配信サーバと通信可能であって、基地局からの同期確立同報信号を受信した際に電源ＯＮを指示する同報信号認識部を有する第２の通信メディア手段と、
前記第１及び第２の通信メディア手段を介して、前記コンテンツ配信サーバに対して、コンテンツ要求メッセージを送信し、コンテンツ応答メッセージを受信するデータ送受信手段と、
前記コンテンツ応答メッセージに含まれるコンテンツサイズに対して、当該通信メディア手段の通信状態は適するか否かを判定するコンテンツサイズ判定手段と、
前記コンテンツサイズ判定手段によって適さないと判定された際に、受信中断フラグを設定して保持し、前記移動端末が電源ＯＦＦにされた際に、前記受信中断フラグが設定されているならばＳＬＥＥＰモードを出力するアプリケーション電源制御手段と、
前記ＳＬＥＥＰモードの通知を受けた際に、前記移動端末が電源ＯＦＦにされ且つ前記第２の通信メディア手段が電源ＯＮにされ、前記第２の通信メディア手段の前記同報信号認識部から前記電源ＯＮを指示された際に前記移動端末が電源ＯＮにされる電源制御手段と
を有することを特徴とする移動端末。
【請求項８】
前記通信状態は、伝送速度であって、
前記コンテンツサイズ判定手段は、前記コンテンツサイズを前記伝送速度で除算して算出された伝送時間が、所定閾値時間以上である場合に、前記通信メディア部は適さないと判定することを特徴とする請求項７に記載の移動端末。
【請求項９】
前記第１の通信メディア手段は、セルラ通信メディア手段であり、
前記第２の通信メディア手段は、無線ＬＡＮ通信メディア手段であり、
前記同期確立同報信号は、ビーコン信号である
ことを特徴とする請求項７又は８に記載の移動端末。
【請求項１０】
前記第１の通信メディア手段は、第１の無線ＬＡＮ通信メディア手段であり、
前記第２の通信メディア手段は、前記第１の無線ＬＡＮ通信メディア手段よりも伝送速度が高速な無線ＬＡＮ通信メディア部であり、
前記同期確立同報信号は、ビーコン信号である
ことを特徴とする請求項７又は８に記載の移動端末。
【請求項１１】
前記無線ＬＡＮ通信メディア手段は、受信可能なＥＳＳＩＤの登録リストを予め保持しており、前記ビーコン信号に含まれるＥＳＳＩＤが前記登録リストのいずれか１つのＥＳＳＩＤと一致する際に、該ビーコン信号が受信されたと判定することを特徴とする請求項７から１０のいずれか１項に記載の移動端末。
【請求項１２】
移動端末とプロキシサーバとを有し、該移動端末の電源を制御するシステムであって、
前記移動端末は、
前記プロキシサーバを介してコンテンツ配信サーバと通信可能な第１の通信メディア手段と、
前記プロキシサーバを介して前記コンテンツ配信サーバと通信可能であって、基地局からの同期確立同報信号を受信した際に電源ＯＮを指示する同報信号認識部を有する第２の通信メディア手段と、
前記第１及び第２の通信メディア手段を介して、前記プロキシサーバに対して、コンテンツ要求メッセージを送信し、コンテンツ応答メッセージを受信するデータ送受信手段と、
前記コンテンツ応答メッセージに含まれる受信中断フラグが設定されているか否かを判定するコンテンツサイズ判定手段と、
前記コンテンツサイズ判定手段によって前記受信中断フラグが設定されていると判定された際に、前記受信中断フラグを設定して保持し、前記移動端末が電源ＯＦＦにされた際に、前記受信中断フラグが設定されているならばＳＬＥＥＰモードを出力するアプリケーション電源制御手段と、
前記ＳＬＥＥＰモードの通知を受けた際に、前記移動端末を電源ＯＦＦにし且つ前記第２の通信メディア手段を電源ＯＮにし、前記第２の通信メディア手段の前記同報信号認識部から前記電源ＯＮを指示された際に前記移動端末を電源ＯＮにする電源制御手段と
を有し、
前記プロキシサーバは、
通信状態の情報を含む前記コンテンツ要求メッセージを受信した際に、前記通信状態の情報を保持する保持手段と、
コンテンツサイズを含む前記コンテンツ応答メッセージを受信した際に、前記コンテンツサイズに対して前記通信状態は適するか否かを判定する判定手段と、
前記判定手段によって適さないと判定された際に、受信中断フラグを含む前記コンテンツ応答メッセージを前記移動端末へ送信する送信手段と
を有することを特徴とする移動端末の電源を制御するシステム。
【請求項１３】
前記通信状態は、伝送速度であって、
前記プロキシサーバの前記判定手段は、前記コンテンツサイズを前記伝送速度で除算して算出された伝送時間が、所定閾値時間以上である場合に前記通信状態は適さないと判定することを特徴とする請求項１２に記載のシステム。
【発明の詳細な説明】
【技術分野】
【０００１】
本発明は、移動端末の電源制御方法及びシステムに関する。
【背景技術】
【０００２】
従来より、Magic Packet（登録商標）という技術がある（例えば非特許文献１参照）。これは、ネットワークに接続されたパーソナルコンピュータ（以下「端末」という）であって、その本体の主電源がＯＦＦとなった端末（ＳＬＥＥＰモード）を、遠隔操作で起動するものである。具体的には、遠隔操作側端末が、ＳＬＥＥＰモードの端末へ、イーサネット（登録商標）を介して、Magic Packetフレームと称される特定情報パケットを送信する。このMagic Packetフレームを受信したＳＬＥＥＰモードの端末は、自動的に端末本体の主電源をＯＮにする。このように遠隔操作されるＳＬＥＥＰモードの端末は、その端末の主電源がＯＦＦにされていても、ＬＡＮ通信メディア部のみの電源はＯＮとなっており、Magic Packetフレームの受信を監視することができる。
【０００３】
これに対し、移動端末に対しても、モバイルコンピューティング推進コンソーシアム（ＭＣＰＣ：Mobile Computing Promotion Consortium：http://www.mcpc-jp.or）において、プッシュ型データ配信を実現するWake On Ring（WOR）が検討されている（例えば非特許文献２参照）。移動端末の位置情報にかかわらず、リアルタイムな情報配信を目的としている。
【０００４】
従来技術としては、移動端末へ送信すべきコンテンツデータがある場合、呼び出しサーバが、移動端末へ特定メッセージを送信し、移動端末本体を電源ＯＮし、適切なアプリケーションが起動される（例えば特許文献１参照）。次に、その移動端末は、コンテンツ要求メッセージを呼び出しサーバへ送信する。これにより、呼び出しサーバから移動端末に対するリアルタイムなプッシュ配信が実現される。それと共に、移動端末は、待機状態で常に待ち受ける必要がなく、端末の省電力化が向上する。呼び出しサーバから移動端末への特定メッセージの送信に、携帯電話機又はＰＨＳ電話機のメール機能を用いることによって、移動端末の位置に関係なく、プッシュ配信が可能となる。
【０００５】
また、無線ＬＡＮ通信メディア部単体における自動起動を可能とするソフトウェアとして、ビットチャージがある（例えば非特許文献３参照）。これは、当該移動端末が、アクセスポイントの圏内に位置したことを検知し、アプリケーションの起動と、無線ＬＡＮサービスへの自動ログインとを行う。近年、無線ＬＡＮホットスポットサービスとして、駅等の公共エリアに無線ＬＡＮのアクセスポイントを設置し、インターネットへの接続を行うサービスが展開されている。ビットチャージの技術を利用して、ホットスポットに当該移動端末が位置した際に、自動的にニュース等のコンテンツを配信することができる。アクセスポイントの圏内に位置したことを検知するために、予め設定された時間間隔で、移動端末（ハードウェア）を自動的に間欠起動する必要がある。
【０００６】
更に、移動端末についても、セルラ通信メディア部と無線ＬＡＮ通信メディア部とを備えることによって、どこに位置していてもインターネットに対して通信をすることができる。従って、移動端末がアクセスポイントの圏内に位置している場合には、無線ＬＡＮ通信メディア部を用いて高速な通信を行い、そうでない場合には、セルラ通信メディア部を用いて比較的低速な通信を行うことができる。
【０００７】
【非特許文献１】「Magic Packetテクノロジ」、[online]、[平成１７年１月１６日検索]、インターネット＜URL:http://www.amd.com/jp-ja/ConnectivitySolutions/ProductInformation/0,,50_2324_2481,00.html＞
【非特許文献２】「便利なPush技術を実現できる WOR = Wake On Ring とは? その詳細を紹介」、[online]、[平成１７年１月１６日検索]、インターネット＜URL:http://www.wince.ne.jp/snap/ceSnapView.asp?PID=788＞
【非特許文献３】「ハンズフリーワイヤレスＬＡＮ」、[online]、[平成１７年１月１６日検索]、インターネット＜http://www.aicon.co.jp/news/65.html＞
【特許文献１】特開２００３−１３４５６６号公報
【発明の開示】
【発明が解決しようとする課題】
【０００８】
しかしながら、セルラ通信メディア部を用いて比較的低速な通信回線によってコンテンツデータを受信していた場合、即時に取得されなければならないコンテンツデータでないならば、長時間をかけて受信することは利便性に欠ける。そのようなコンテンツデータは、その後、移動端末が、高速で通信可能な無線ＬＡＮの圏内に位置した時に、受信すればよい。但し、移動端末が電源ＯＦＦの状態にあるならば、その移動端末本体の電源を自動起動する必要もある。
【０００９】
Magic Packetフレームを移動端末へ送信することによって自動起動を実現するには、アクセスポイントから当該移動端末へMagic Packetフレームを送信しなければならない。移動端末の位置情報を用いることによって移動先のアクセスポイントを予測することもできるが、移動端末の位置の追跡に要するオーバヘッドが大きい。また、Magic Packetフレームを送信するには、予め、移動端末とアクセスポイントとの間で、アソシエーションが確立されている必要がある。もちろん、Magic Packetフレームをブロードキャストすることによって、アソシエーション確立前の起動も可能となるが、ＷＥＰ等の暗号化機能を用いた場合に適用できない。
【００１０】
また、Wake On Ring（WOR）は、移動端末の位置に応じた情報配信をすることができない。ビットチャージでは、所定の時間間隔で移動端末を起動する必要があるために、移動端末の省電力化に問題がある。
【００１１】
従って、本発明は、複数の通信メディア部を有する移動端末について、コンテンツデータに応じて適切な通信メディア部から受信することができ、一方の通信メディア部おいてその受信が中断されたコンテンツデータを、他方の通信メディア部において自動的に受信することができる移動端末の電源制御方法及びシステムを提供することを目的とする。
【課題を解決するための手段】
【００１２】
本発明によれば、第１及び第２の通信メディア部を有する移動端末の電源制御方法であって、
第１の通信メディア部によってコンテンツ要求メッセージをコンテンツ配信サーバへ送信する第１のステップと、
第１の通信メディア部によってコンテンツ配信サーバからコンテンツ応答メッセージを受信し、該メッセージに含まれるコンテンツサイズに対して第１の通信メディア部の通信状態は適するか否かを判定する第２のステップと、
第１の通信メディア部の通信状態は適さないと判定した場合、コンテンツ配信サーバに対するコネクションを切断し、且つ、受信中断フラグを設定する第３のステップと、
移動端末が電源ＯＦＦにされると同時に、受信中断フラグが設定されている場合は、第２の通信メディア部が電源ＯＮにされる第４のステップと、
移動端末が電源ＯＦＦである場合に、第２の通信メディア部が、基地局から同期確立同報信号を受信した際に、移動端末が電源ＯＮにされる第５のステップと、
第２の通信メディア部によってコンテンツ要求メッセージを、コンテンツ配信サーバへ送信する第６のステップと
を有することを特徴とする。
【００１３】
また、本発明によれば、第１及び第２の通信メディア部を有する移動端末と、プロキシサーバとを有するシステムにおける移動端末の電源制御方法であって、
移動端末が、第１の通信メディア部によってその通信状態の情報を含むコンテンツ要求メッセージをプロキシサーバへ送信し、該プロキシサーバが、コンテンツ要求メッセージをコンテンツ配信サーバへ送信する第１のステップと、
プロキシサーバが、コンテンツ配信サーバから受信したコンテンツ応答メッセージに含まれるコンテンツサイズに対して通信状態は適するか否かを判定する第２のステップと、
プロキシサーバが、移動端末の第１の通信メディア部の通信状態は適さないと判定した場合、受信中断フラグを設定したコンテンツ応答メッセージを移動端末へ送信する第３のステップと、
移動端末が、コンテンツ応答メッセージを受信した際に、受信中断フラグを保持する第４のステップと、
移動端末が電源ＯＦＦにされた際に、受信中断フラグが設定されているならば、第２の通信メディア部が電源ＯＮされる第５のステップと、
移動端末が電源ＯＦＦである場合、第２の通信メディア部が、基地局から同期確立同報信号を受信した際に、移動端末が電源ＯＮにされる第６のステップと、
第２の通信メディア部によってコンテンツ要求メッセージを、プロキシサーバへ送信する第７のステップと
を有することを特徴とする。
【００１４】
本発明の電源制御方法における他の実施形態によれば、
通信状態は、伝送速度であって、
第２のステップについて、コンテンツサイズを伝送速度で除算して算出された伝送時間が、所定閾値時間以上である場合に、通信メディア部は適さないと判定されることも好ましい。
【００１５】
また、本発明の電源制御方法における他の実施形態によれば、
第１の通信メディア部は、セルラ通信メディア部であり、
第２の通信メディア部は、無線ＬＡＮ通信メディア部であり、
同期確立同報信号は、ビーコン信号であってもよい。
【００１６】
また、本発明の電源制御方法における他の実施形態によれば、
第１の通信メディア部は、第１の無線ＬＡＮ通信メディア部であり、
第２の通信メディア部は、第１の無線ＬＡＮ通信メディア部よりも伝送速度が高速な無線ＬＡＮ通信メディア部であり、
同期確立同報信号は、ビーコン信号であってもよい。
【００１７】
更に、本発明の電源制御方法における他の実施形態によれば、
無線ＬＡＮ通信メディア部は、受信可能なＥＳＳＩＤの登録リストを予め保持しており、ビーコン信号に含まれるＥＳＳＩＤが登録リストのいずれか１つのＥＳＳＩＤと一致する際に、該ビーコン信号が受信されたと判定することも好ましい。
【００１８】
本発明によれば、移動端末であって、
コンテンツ配信サーバと通信可能な第１の通信メディア手段と、
コンテンツ配信サーバと通信可能であって、基地局からの同期確立同報信号を受信した際に電源ＯＮを指示する同報信号認識部を有する第２の通信メディア手段と、
第１及び第２の通信メディア手段を介して、コンテンツ配信サーバに対して、コンテンツ要求メッセージを送信し、コンテンツ応答メッセージを受信するデータ送受信手段と、
コンテンツ応答メッセージに含まれるコンテンツサイズに対して、当該通信メディア手段の通信状態は適するか否かを判定するコンテンツサイズ判定手段と、
コンテンツサイズ判定手段によって適さないと判定された際に、受信中断フラグを設定して保持し、移動端末が電源ＯＦＦにされた際に、受信中断フラグが設定されているならばＳＬＥＥＰモードを出力するアプリケーション電源制御手段と、
ＳＬＥＥＰモードの通知を受けた際に、移動端末が電源ＯＦＦにされ且つ第２の通信メディア手段が電源ＯＮにされ、第２の通信メディア手段の同報信号認識部から電源ＯＮを指示された際に移動端末が電源ＯＮにされる電源制御手段と
を有することを特徴とする。
【００１９】
本発明の移動端末における他の実施形態によれば、
通信状態は、伝送速度であって、
コンテンツサイズ判定手段は、コンテンツサイズを伝送速度で除算して算出された伝送時間が、所定閾値時間以上である場合に、通信メディア部は適さないと判定することも好ましい。
【００２０】
また、本発明の移動端末における他の実施形態によれば、
第１の通信メディア手段は、セルラ通信メディア手段であり、
第２の通信メディア手段は、無線ＬＡＮ通信メディア手段であり、
同期確立同報信号は、ビーコン信号であってもよい。
【００２１】
また、本発明の移動端末における他の実施形態によれば、
第１の通信メディア手段は、第１の無線ＬＡＮ通信メディア手段であり、
第２の通信メディア手段は、第１の無線ＬＡＮ通信メディア手段よりも伝送速度が高速な無線ＬＡＮ通信メディア部であり、
同期確立同報信号は、ビーコン信号であってもよい。
【００２２】
更に、本発明の移動端末における他の実施形態によれば、
無線ＬＡＮ通信メディア手段は、受信可能なＥＳＳＩＤの登録リストを予め保持しており、ビーコン信号に含まれるＥＳＳＩＤが登録リストのいずれか１つのＥＳＳＩＤと一致する際に、該ビーコン信号が受信されたと判定することも好ましい。
【００２３】
本発明によれば、
移動端末とプロキシサーバとを有し、該移動端末の電源を制御するシステムであって、
移動端末は、
プロキシサーバを介してコンテンツ配信サーバと通信可能な第１の通信メディア手段と、
プロキシサーバを介してコンテンツ配信サーバと通信可能であって、基地局からの同期確立同報信号を受信した際に電源ＯＮを指示する同報信号認識部を有する第２の通信メディア手段と、
第１及び第２の通信メディア手段を介して、プロキシサーバに対して、コンテンツ要求メッセージを送信し、コンテンツ応答メッセージを受信するデータ送受信手段と、
コンテンツ応答メッセージに含まれる受信中断フラグが設定されているか否かを判定するコンテンツサイズ判定手段と、
コンテンツサイズ判定手段によって受信中断フラグが設定されていると判定された際に、受信中断フラグを設定して保持し、移動端末が電源ＯＦＦにされた際に、受信中断フラグが設定されているならばＳＬＥＥＰモードを出力するアプリケーション電源制御手段と、
ＳＬＥＥＰモードの通知を受けた際に、移動端末を電源ＯＦＦにし且つ第２の通信メディア手段を電源ＯＮにし、第２の通信メディア手段の同報信号認識部から電源ＯＮを指示された際に移動端末を電源ＯＮにする電源制御手段と
を有し、
プロキシサーバは、
通信状態の情報を含むコンテンツ要求メッセージを受信した際に、通信状態の情報を保持する保持手段と、
コンテンツサイズを含むコンテンツ応答メッセージを受信した際に、コンテンツサイズに対して通信状態は適するか否かを判定する判定手段と、
判定手段によって適さないと判定された際に、受信中断フラグを含むコンテンツ応答メッセージを移動端末へ送信する送信手段と
を有することを特徴とする。
【００２４】
本発明のシステムにおける他の実施形態によれば、
通信状態は、伝送速度であって、
プロキシサーバの判定手段は、コンテンツサイズを伝送速度で除算して算出された伝送時間が、所定閾値時間以上である場合に通信状態は適さないと判定することも好ましい。
【発明の効果】
【００２５】
本発明によれば、移動端末は、コンテンツデータに応じて適切な通信メディア部から受信することができ、一方の通信メディア部おいてその受信が中断されたコンテンツデータを、他方の通信メディア部において自動的に受信することができる。例えば、当該コンテンツデータをセルラ通信メディア部を用いて受信すると長時間を要する場合、アクセスポイントの圏内に移動端末が移動した時に、無線ＬＡＮ通信メディア部を用いて短時間で当該コンテンツを受信することができる。
【００２６】
特に、当該コンテンツデータをセルラ通信メディア部を用いて受信すると長時間を要すると判定した場合に、本発明によれば、その後、アクセスポイントの圏内に位置するまで移動端末本体を電源ＯＦＦにすることができる。これにより、アクセスポイントに位置するか否かを判定するために所定の時間間隔で移動端末を間欠起動する必要がなく、省電力化に寄与する。また、本発明によれば、アクセスポイントから同報送信されるビーコン信号を契機として自動起動するので、アクセスポイントの圏内に進入した時に即座に自動起動が可能となる。更に、起動対象となるＥＳＳＩＤを予め登録しておくことにより、利用者がサービスを契約した無線ＬＡＮのホットスポットのみにおいて移動端末を自動起動することができ、不必要な移動端末の起動を防ぐことができる。
【発明を実施するための最良の形態】
【００２７】
以下では、図面を用いて、本発明を実施するための最良の実施形態について詳細に説明する。
【００２８】
図１は、本発明におけるシステム構成図である。
【００２９】
図１のシステムは、移動端末１と、インターネットに接続されたプロキシサーバ２及びＷｅｂサーバ３と、インターネットに対してセルラネットワークを介して接続されるセルラ基地局４と、インターネットに接続されるアクセスポイント５とを有する。移動端末１は、無線ＬＡＮ通信メディア部１０及びセルラ通信メディア部１１を有しており、セルラ基地局４及びアクセスポイント５と通信可能である。
【００３０】
プロキシサーバは、一般に、端末を代理してＷｅｂサーバにアクセスする機能と、Ｗｅｂサーバから一度取得したコンテンツデータをキャッシュする機能とを有する。そのため、プロキシサーバは、既にキャッシュされているコンテンツデータにおけるコンテンツ要求メッセージを受信した際に、本来のＷｅｂサーバへアクセスすることなく、キャッシュされているそのコンテンツデータを端末へ送り返す。端末にとっては、コンテンツデータを素早く取得することができると共に、Ｗｅｂサーバにとっては、本来、そのＷｅｂサーバにかかったであろう負荷を軽減することができる。結果的に、ネットワーク全体のトラフィック（回線使用量）を軽減することができる。
【００３１】
移動端末１の無線ＬＡＮ通信メディア部１０は、データ送受信部１０１と、ビーコン信号認識部１０２と、モジュール電源制御部１０３とを有する。また、移動端末１は、無線ＬＡＮ通信メディア部１０及びセルラ通信メディア部１１以外に、データ送受信部１２と、コンテンツサイズ判定部１３と、電源制御部１４と、アプリケーション電源制御部１５とを有する。
【００３２】
無線ＬＡＮ通信メディア部１０のビーコン信号認識部１０２は、アクセスポイント５から同報的に送信されたビーコン信号を認識する。ビーコン信号は、ＥＳＳＩＤを周囲に報知する信号であって、一定時間毎に送信される。本発明におけるビーコン信号認識部１０２は、予め自動起動を対象とする無線ＬＡＮのＥＳＳＩＤの登録リストを保持する。通常、移動端末１の利用者が、予めサービスを登録したホットスポットのＥＳＳＩＤ、又は自宅若しくはオフィスで使用しているＥＳＳＩＤを登録する。
【表１】
2006210993.tif 000003
【００３３】
無線ＬＡＮ通信メディア部１０のモジュール電源制御部１０３は、電源制御部１４から通知された「ＯＮ／ＯＦＦ／ＳＬＥＥＰ」モードに応じて、無線ＬＡＮ通信メディア部１０全体の電源を制御する。特に、「ＳＬＥＥＰ」モードは、ビーコン信号認識部１０２のみを「ＯＮ」にする。これにより、移動端末１全体が電源ＯＦＦであっても、アクセスポイント５から同報送信されるビーコン信号だけは受信することができる。
【００３４】
移動端末１のデータ送受信部１２は、当該移動端末１の位置に応じて、アクセスポイント５と通信できる場合、無線ＬＡＮ通信メディア部１０を用いてＷｅｂサーバ３とデータを送受信する。そうでない場合は、セルラ通信メディア部１１を用いてＷｅｂサーバ３とデータを送受信する。特に、データ送受信部１２は、コンテンツを取得する場合、ＨＴＴＰ Ｒｅｑｕｅｓｔメッセージをいずれか一方の通信メディア部へ送信し、ＨＴＴＰ Ｒｅｓｐｏｎｓｅメッセージを受信することにより、コンテンツデータを取得する。
【００３５】
コンテンツサイズ判定部１３は、受信したＨＴＴＰ Ｒｅｓｐｏｎｓｅメッセージのヘッダに含まれる「Content-Length」を、データ送受信部１２から受け取る。また、コンテンツサイズ判定部１３は、各通信メディア部の伝送速度を監視している。そして、以下の判定式によって、そのコンテンツサイズのコンテンツを受信するのに、適した伝送速度であるか否かを判定する。
コンテンツサイズ[Byte]×８[bit]／伝送速度[bit/秒] ＞ 閾値時間Ｔ１->ＮＧ
コンテンツサイズ[Byte]×８[bit]／伝送速度[bit/秒] ≦ 閾値時間Ｔ１->ＯＫ
【００３６】
コンテンツサイズ判定部１３が、そのコンテンツサイズのコンテンツを受信するのに、適した伝送速度ではないと判定した場合、受信中断「ＮＧ」の旨をデータ送受信部１２及びアプリケーション電源制御部１５へ通知する。また、そのコンテンツサイズのコンテンツを受信するのに、適した伝送速度であると判定した場合、受信継続「ＯＫ」の旨をデータ送受信部１２及びアプリケーション電源制御部１５へ通知する。
【００３７】
移動端末１のデータ送受信部１２は、コンテンツサイズ判定部１３から受信継続「ＯＫ」が通知された場合、ＨＴＴＰ Ｒｅｓｐｏｎｓｅメッセージによるコンテンツデータの受信を続ける。一方、受信中断「ＮＧ」が通知された場合、そのコンテンツデータの取得のためのコネクションを切断し、コンテンツデータの受信を中止する。
【００３８】
アプリケーション電源制御部１５は、利用者による移動端末１に対する電源ＯＮ／ＯＦＦを監視し、電源制御部１４を制御する。特に、アプリケーション電源制御部１５は、コンテンツサイズ判定部１３から受信継続「ＯＫ」又は受信中断「ＮＧ」の旨を受け取り、この情報を再取得保持要求として保持する。受信中断「ＮＧ」を受け取った場合、電源ＯＦＦの後、より高速な伝送速度で通信可能な状態になったならば、当該コンテンツデータを再取得する。
【００３９】
アプリケーション電源制御部１５は、電源制御部１４へ「ＯＮ／ＯＦＦ／ＳＬＥＥＰ」モードを通知する。「ＯＮ」モードは、移動端末１全体が電源ＯＮにされ、「ＯＦＦ」モードは、移動端末１全体が電源ＯＦＦにされる。特に、「ＳＬＥＥＰ」モードは、無線ＬＡＮ通信メディア部１０のビーコン信号認識部１０２だけを電源ＯＮにし、移動端末１のその他のモジュールは電源ＯＦＦにすることを意味する。
【００４０】
また、アプリケーション電源制御部１５は、電源制御部１４から電源ＯＮの指示を受ける場合もある。この場合とは、ＳＬＥＥＰモードである場合に、無線ＬＡＮ通信メディア部１０のビーコン信号認識部１０２がビーコン信号を検出した時である。本発明によれば、ビーコン信号の受信によって移動端末１全体が電源ＯＮとなる。
【００４１】
移動端末１の電源制御部１４は、アプリケーション電源制御部１５からの指示に応じて、移動端末１全体の電源を制御する。アプリケーション電源制御部１５から「ＯＮ／ＯＦＦ」モードを受信した場合、各通信メディア部に対して電源をＯＮ／ＯＦＦする。特に、電源制御部１４は、アプリケーション電源制御部１５から「ＳＬＥＥＰ」モードを受信した場合、セルラ通信メディア部１１へは電源ＯＦＦを指示し、無線ＬＡＮ通信メディア部１０へは「ＳＬＥＥＰ」を指示する。この「ＳＬＥＥＰ」を受け取った無線ＬＡＮ通信メディア部１０のモジュール電源制御部１０３は、ビーコン信号認識部１０２だけ電源ＯＮにし、その他の部分は電源ＯＦＦとする。
【００４２】
図２は、本発明における第１のシーケンス図である。
【００４３】
（Ｓ２０１）利用者が特定のコンテンツデータをＷｅｂサーバ３から取得する操作をしたとする。このとき、移動端末１において、セルラ通信メディア部１１のみがＷｅｂサーバ３と通信可能であるとする。そうすると、データ送受信部１２は、Ｗｅｂサーバ３に対するＨＴＴＰ Ｒｅｑｕｅｓｔメッセージをセルラ通信メディア部１１へ送信する。
（Ｓ２０２）移動端末１において、セルラ通信メディア部１１は、そのＨＴＴＰ Ｒｅｑｕｅｓｔメッセージをセルラ基地局４へ送信し、セルラネットワークを介してＷｅｂサーバ３へ送信する。
【００４４】
（Ｓ２０３）Ｗｅｂサーバ３は、そのＨＴＴＰ Ｒｅｑｕｅｓｔメッセージに対して、ＨＴＴＰ Ｒｅｓｐｏｎｓｅメッセージを移動端末１へ返信する。このとき、ＨＴＴＰ Ｒｅｓｐｏｎｓｅメッセージのヘッダには、コンテンツサイズを示す「Content-Length」が含まれている。以下に、ＨＴＴＰ Ｒｅｓｐｏｎｓｅメッセージのヘッダ部分を表す。
HTTP/1.1 200 OK
Date: Thu, 25 Dec 2003 10:10:50 GMT
Server: Apache
Last-Modified: Mon, 01 Dec 2003 15:08:00 GMT
Accept-Ranges: bytes
Content-Length: 34251290
Keep-Alive: timeout=15, max=100
Connection: Keep-Alive
Content-Type: application/octet-stream
【００４５】
（Ｓ２０４）移動端末１において、セルラ通信メディア部１１は、Ｗｅｂサーバ３から受信したＨＴＴＰ Ｒｅｓｐｏｎｓｅメッセージをデータ送受信部１２へ送信する。
（Ｓ２０５）移動端末１において、データ送受信部１２は、ＨＴＴＰ Ｒｅｓｐｏｎｓｅメッセージに含まれるコンテンツサイズを、コンテンツサイズ判定部１３へ通知する。
【００４６】
（Ｓ２０６）コンテンツサイズ判定部１３は、通知されたコンテンツサイズを、セルラ通信メディア部１１の伝送速度で除算して伝送時間を算出する。また、コンテンツサイズ判定部１３は、予め閾値時間を保持している。例えば、閾値時間を１０分と設定している場合、算出された伝送時間が１０分以上であるならば、受信中断「ＮＧ」と判定する。一方、算出された伝送時間が１０分未満であるならば、受信継続「ＯＫ」と判定する。
【００４７】
（Ｓ２０７）受信継続「ＯＫ」と判定された場合、移動端末１のデータ送受信部１２は、Ｗｅｂサーバ３から送信されるＨＴＴＰ Ｒｅｓｐｏｎｓｅメッセージの受信を継続する。
【００４８】
（Ｓ２０８）一方、受信中断「ＮＧ」と判定された場合、コンテンツサイズ判定部１３は、受信中断「ＮＧ」フラグをアプリケーション電源制御部１５へ通知する。また、コンテンツサイズ判定部１３は、データ送受信部１２に対しても、受信中断「ＮＧ」フラグを通知する。
（Ｓ２０９）受信中断「ＮＧ」フラグの通知を受けたデータ送受信部１２は、Ｗｅｂサーバ３との間のコネクションを切断する。これにより、コンテンツデータの受信が中断される。
【００４９】
（Ｓ２１０）アプリケーション電源制御部１５は、受信中断「ＮＧ」フラグを保持する。そして、アプリケーションによって又は利用者の操作によって、当該移動端末が電源ＯＦＦにされた際、アプリケーション電源制御部１５は、「ＳＬＥＥＰ」モードを電源制御部１４へ通知する。
（Ｓ２１１）電源制御部１４は、移動端末１全体及びセルラ通信メディア部を電源ＯＦＦにすると同時に、無線ＬＡＮ通信メディア部１０へ「ＳＬＥＥＰ」モードを通知する。無線ＬＡＮ通信メディア部１０は、「ＳＬＥＥＰ」モードを受信すると、ビーコン信号認識部１０２のみ電源ＯＮにし、その他の部分については電源ＯＦＦとする。これにより、ビーコン信号の受信のみが可能となるＳＬＥＥＰモード、即ち低消費電力の動作モードになる。
【００５０】
その後、移動端末１が、アクセスポイント５と通信可能な範囲内に移動したとする。
【００５１】
（Ｓ２１２）アクセスポイント５から報知されるビーコン信号を、移動端末１の無線ＬＡＮ通信メディア部１０が受信する。無線ＬＡＮ通信メディア部１０のビーコン信号認識部１０２は、受信されたビーコン信号のＥＳＳＩＤが、登録リストに予め登録されたＥＳＳＩＤと一致するか否かを判定する。
（Ｓ２１３）移動端末１において、受信されたビーコン信号のＥＳＳＩＤが、登録リストに予め登録されたＥＳＳＩＤのいずれか１つと一致する場合、ビーコン信号認識部１０２は、電源制御部１４へ電源ＯＮを指示する。このような処理は、従来技術であるMagic Packetフレームを受信して電源起動する場合と、全く同一の動作で実現できる。
（Ｓ２１４）電源制御部１４は、電源ＯＮを、アプリケーション電源制御部１５へ通知する。
（Ｓ２１５）これにより、移動端末１が電源ＯＮにされて起動し、アプリケーションも起動する。また、移動端末１が電源ＯＮになることによって、無線ＬＡＮ通信メディア部１０の全ての機能が有効になる。
【００５２】
（Ｓ２１６）移動端末１の無線ＬＡＮ通信メディア部１０は、アソシエーション確立要求をアクセスポイント５へ送信する。
（Ｓ２１７）アクセスポイント５は、移動端末１のアソシエーション確立要求に対して、その応答を移動端末１へ返信し、アソシエーションを確立する。アソシエーション確立応答を受信した移動端末１の無線ＬＡＮ通信メディア部１０は、アソシエーションが確立したことをデータ送受信部１２へ通知する。
【００５３】
（Ｓ２１８）移動端末１のデータ送受信部１２は、無線ＬＡＮ通信メディア部１０からのアソシエーション確立の通知に応じて、Ｗｅｂサーバ３に対するＨＴＴＰ Ｒｅｑｕｅｓｔメッセージを無線ＬＡＮ通信メディア部１０へ送信する。無線ＬＡＮ通信メディア部１０は、ＨＴＴＰ Ｒｅｑｕｅｓｔメッセージをアクセスポイント５へ送信する。
（Ｓ２１９）アクセスポイント５は、ＨＴＴＰ ＲｅｑｕｅｓｔメッセージをＷｅｂサーバ３へ送信する。
（Ｓ２２０）Ｗｅｂサーバ３は、ＨＴＴＰ Ｒｅｑｕｅｓｔメッセージに対応して、ＨＴＴＰ Ｒｅｓｐｏｎｓｅメッセージをアクセスポイント５へ返信する。
（Ｓ２２１）アクセスポイント５は、ＨＴＴＰ Ｒｅｓｐｏｎｓｅメッセージを、移動端末１へ送信する。移動端末１の無線ＬＡＮ通信メディア部１０は、ＨＴＴＰ Ｒｅｓｐｏｎｓｅメッセージをデータ送受信部１２へ送信する。
【００５４】
（Ｓ２２２）移動端末１において、データ送受信部１２は、ＨＴＴＰ Ｒｅｓｐｏｎｓｅメッセージに含まれるコンテンツサイズを、コンテンツサイズ判定部１３へ通知する。
【００５５】
（Ｓ２２３）コンテンツサイズ判定部１３は、コンテンツサイズを、無線ＬＡＮ通信メディア部１０の伝送速度で除算して伝送時間を算出する。算出された伝送時間が閾値時間１０分未満であるならば、受信継続「ＯＫ」と判定する。
【００５６】
（Ｓ２２４）受信継続「ＯＫ」と判定された場合、移動端末１のデータ送受信部１２は、Ｗｅｂサーバ３から送信されるＨＴＴＰ Ｒｅｓｐｏｎｓｅメッセージの受信を継続する。
【００５７】
図３は、本発明における第２のシーケンス図である。
【００５８】
図３の第２のシーケンス図は、図２の第１のシーケンス図と比較して、プロキシサーバ２がコンテンツサイズに応じた通信の適否を判定する点で相違する。
【００５９】
（Ｓ３０１）利用者が特定のコンテンツデータをＷｅｂサーバ３から取得する操作をしたとする。このとき、移動端末１において、セルラ通信メディア部１１のみがＷｅｂサーバ３と通信可能であるとする。そうすると、データ送受信部１２は、Ｗｅｂサーバ３に対するＨＴＴＰ Ｒｅｑｕｅｓｔメッセージをセルラ通信メディア部１１へ送信する。
（Ｓ３０２）移動端末１において、セルラ通信メディア部１１は、そのＨＴＴＰ Ｒｅｑｕｅｓｔメッセージをセルラ基地局４へ送信し、セルラネットワークを介してＷｅｂサーバ３へ送信する。ＨＴＴＰ Ｒｅｑｕｅｓｔメッセージには、セルラ通信メディア部１１の伝送速度が含まれる。プロキシサーバ２は、その伝送速度を保持する。以下に、ＨＴＴＰ Ｒｅｑｕｅｓｔメッセージのヘッダ部分を表す。
Hypertext Transfer Protocol
GET http://xxx/yyy HTTP/1.1
Accept: image/gif, image/x-xbitmap, image/jpeg, image/pjpeg, */*
Accept-Language: ja
User-Agent: Mozilla/4.0 (compatible; MSIE 6.0; Windows NT 5.1)
Connection: Keep-Alive
Communication-speed: 2Mbps
Moving-speed: 6km/h
【００６０】
（Ｓ３０３）Ｗｅｂサーバ３は、ＨＴＴＰ Ｒｅｑｕｅｓｔメッセージに対応して、ＨＴＴＰ Ｒｅｓｐｏｎｓｅメッセージをプロキシサーバ２へ返信する。プロキシサーバ２は、ＨＴＴＰ Ｒｅｓｐｏｎｓｅメッセージに含まれるコンテンツサイズを取得する。以下に、ＨＴＴＰ Ｒｅｓｐｏｎｓｅメッセージのヘッダ部分を表す。
HTTP/1.1 200 OK
Date: Thu, 25 Dec 2003 10:10:50 GMT
Server: Apache
Last-Modified: Mon, 01 Dec 2003 15:08:00 GMT
Accept-Ranges: bytes
Content-Length: 34251290
Keep-Alive: timeout=15, max=100
Connection: Keep-Alive
Content-Type: application/octet-stream
【００６１】
（Ｓ３０４）プロキシサーバ２は、先に保持したコンテンツサイズを、移動端末１の伝送速度で除算して伝送時間を算出する。また、プロキシサーバ２は、予め閾値時間を保持している。例えば、閾値時間を１０分と設定している場合、算出された伝送時間が１０分以上であるならば、受信中断「ＮＧ」と判定する。一方、算出された伝送時間が１０分未満であるならば、受信継続「ＯＫ」と判定する。受信中断「ＮＧ」と判定した場合、プロキシサーバ２は、ＨＴＴＰ Ｒｅｓｐｏｎｓｅメッセージに受信中断「ＮＧ」フラグを含めて、移動端末１へ送信する。
（Ｓ３０５）プロキシサーバ２は、Ｗｅｂサーバ３から受信したＨＴＴＰ Ｒｅｑｕｅｓｔメッセージから取得されたコンテンツサイズを保持する。
【００６２】
（Ｓ３０６）移動端末１において、ＨＴＴＰ Ｒｅｓｐｏｎｓｅメッセージを受信したセルラ通信メディア部１１は、そのＨＴＴＰ Ｒｅｓｐｏｎｓｅメッセージをデータ送受信部１２へ送信する。
（Ｓ３０７）データ送受信部１２は、ＨＴＴＰ Ｒｅｓｐｏｎｓｅメッセージに含まれる受信中断「ＮＧ」フラグをコンテンツサイズ判定部１３へ通知する。
【００６３】
（Ｓ３０８）移動端末１において、コンテンツサイズ判定部１３は、受信中断「ＮＧ」フラグをアプリケーション電源制御部１５へ通知する。また、コンテンツサイズ判定部１３は、データ送受信部１２に対しても、受信中断「ＮＧ」フラグを通知する。
（Ｓ３０９）移動端末１において、受信中断「ＮＧ」フラグの通知を受けたデータ送受信部１２は、Ｗｅｂサーバ３との間のコネクションを切断する。これにより、コンテンツデータの受信が中断される。
【００６４】
（Ｓ３１０）アプリケーション電源制御部１５は、受信中断「ＮＧ」フラグを保持する。そして、アプリケーションによって又は利用者の操作によって、当該移動端末が電源ＯＦＦにされた際、アプリケーション電源制御部１５は、「ＳＬＥＥＰ」モードを電源制御部１４へ通知する。
（Ｓ３１１）電源制御部１４は、移動端末１全体及びセルラ通信メディア部を電源ＯＦＦにすると同時に、無線ＬＡＮ通信メディア部１０へ「ＳＬＥＥＰ」モードを通知する。無線ＬＡＮ通信メディア部１０は、「ＳＬＥＥＰ」モードを受信すると、ビーコン信号認識部１０２のみ電源ＯＮにし、その他の部分については電源ＯＦＦとする。
【００６５】
その後、移動端末１が、アクセスポイント５と通信可能な範囲内に移動したとする。
【００６６】
（Ｓ３１２）アクセスポイント５から報知されるビーコン信号を、移動端末１の無線ＬＡＮ通信メディア部１０が受信する。無線ＬＡＮ通信メディア部１０のビーコン信号認識部１０２は、受信されたビーコン信号のＥＳＳＩＤが、登録リストに予め登録されたＥＳＳＩＤと一致するか否かを判定する。
（Ｓ３１３）受信されたビーコン信号のＥＳＳＩＤが、登録リストに予め登録されたＥＳＳＩＤのいずれか１つと一致する場合、ビーコン信号認識部１０２は、移動端末１の電源制御部１４へ電源ＯＮを指示する。
（Ｓ３１４）電源制御部１４は、電源ＯＮを、アプリケーション電源制御部１５へ通知する。
（Ｓ３１５）これにより、移動端末１が電源ＯＮにされて起動し、アプリケーションも起動する。また、移動端末１が電源ＯＮになることによって、無線ＬＡＮ通信メディア部１０の全ての機能が有効になる。
【００６７】
（Ｓ３１６）無線ＬＡＮ通信メディア部１０は、アクセスポイント５へ、アソシエーション確立要求を送信する。
（Ｓ３１７）アクセスポイント５は、移動端末１のアソシエーション確立要求に対して、その応答を移動端末１へ返信し、アソシエーションを確立する。アソシエーション確立応答を受信した移動端末１の無線ＬＡＮ通信メディア部１０は、アソシエーションが確立したことをデータ送受信部１２へ通知する。
【００６８】
（Ｓ３１８）移動端末１において、データ送受信部１２は、無線ＬＡＮ通信メディア部１０からのアソシエーション確立の通知に応じて、Ｗｅｂサーバ３に対するＨＴＴＰ Ｒｅｑｕｅｓｔメッセージを無線ＬＡＮ通信メディア部１０へ送信する。無線ＬＡＮ通信メディア部１０は、ＨＴＴＰ Ｒｅｑｕｅｓｔメッセージをアクセスポイント５へ送信する。
（Ｓ３１９）アクセスポイント５は、ＨＴＴＰ Ｒｅｑｕｅｓｔメッセージをプロキシサーバ２へ送信する。
【００６９】
（Ｓ３２０）プロキシサーバ２は、ＨＴＴＰ Ｒｅｑｕｅｓｔメッセージに含まれる伝送速度の情報「Communication-speed」を取得する。そして、プロキシサーバ２は、Ｓ３０５で保持していたコンテンツサイズを、移動端末１の伝送速度で除算して伝送時間を算出する。例えば、算出された伝送時間が閾値時間１０分未満であるならば、受信継続「ＯＫ」と判定する。その後、プロキシサーバ２は、ＨＴＴＰ ＲｅｑｕｅｓｔメッセージをＷｅｂサーバ３へ送信する。
（Ｓ３２１）Ｗｅｂサーバ３は、ＨＴＴＰ Ｒｅｑｕｅｓｔメッセージに対応して、ＨＴＴＰ Ｒｅｓｐｏｎｓｅメッセージをプロキシサーバ２へ返信する。そして、プロキシサーバ２は、そのＨＴＴＰ Ｒｅｓｐｏｎｓｅメッセージをアクセスポイント５を介して移動端末１へ送信する。
【００７０】
前述した実施形態によれば、セルラ通信メディア部と無線ＬＡＮ通信メディア部とを有する移動端末について説明した。しかしながら、複数の通信メディア部が、同じ通信方式に基づくものであってもよい。例えば、両メディア部とも無線ＬＡＮ通信メディア部であって、伝送速度が異なるものであってもよい。
【００７１】
前述した本発明における種々の実施形態によれば、本発明の技術思想及び見地の範囲の種々の変更、修正及び省略を、当業者は容易に行うことができる。前述の説明はあくまで例であって、何ら制約しようとするものではない。本発明は、特許請求の範囲及びその均等物として限定するものにのみ制約される。
【図面の簡単な説明】
【００７２】
【図１】本発明におけるシステム構成図である。
【図２】本発明における第１のシーケンス図である。
【図３】本発明における第２のシーケンス図である。
【符号の説明】
【００７３】
１  移動端末
１０  無線ＬＡＮ通信メディア部
１０１  データ送受信部
１０２  ビーコン信号認識部
１０３  モジュール電源制御部
１１  セルラ通信メディア部
１２  データ送受信部
１３  コンテンツサイズ判定部
１４  電源制御部
１５  アプリケーション電源制御部
２  プロキシサーバ、代理サーバ
３  Ｗｅｂサーバ、コンテンツ配信サーバ
４  セルラ基地局
５  アクセスポイント
【図１】
2006210993.tif 000004
【図２】
2006210993.tif 000005
【図３】
2006210993.tif 000006